(57)【特許請求の範囲】
【請求項１】
液体レンズから成る円柱レンズが複数、配列された光学装置であって、
（ａ）入射光に対して透明な第１支持体、
（ｂ）入射光に対して透明であり、第１支持体に対面した第２支持体、及び、
（ｃ）第１支持体と第２支持体との間に配設された複数の隔壁、
を有するハウジングを備えており、
第１支持体、第２支持体、及び、隔壁によって円柱レンズ室が構成され、
各円柱レンズ室は、液体レンズを構成する第１の液体及び第２の液体の積層構造によって占められており、
円柱レンズ室の中心を通る第１支持体の法線をＺ軸とし、円柱レンズ室の軸線をＸ軸としたとき、各円柱レンズ室のＸＹ平面における平面形状は、四隅が丸みを帯びた長方形であり、
円柱レンズが最大の光学パワーを発揮しているときの、ＹＺ平面における隔壁の側面上での第１の液体と第２の液体との界面が隔壁の側面と成す角度を（１８０−θ）度とし、隔壁の側面における界面の高さをｈとし、円柱レンズ室のＹＺ平面に沿った長さを２ｂとしたとき、
（ｂ2＋ｈ2）1/2＝ｂ／ｃｏｓ（θ）
の関係を満足する光学装置。
【請求項２】
各円柱レンズ室のＸＹ平面における平面形状は、外側に向かって凸の２つの半円と２本の線分の組み合わせから成り、
半円の半径をｒ0としたとき、
ｂ≦ｒ0≦（ｂ2＋ｈ2）1/2
を満足する請求項１に記載の光学装置。
【請求項３】
円柱レンズのＹＺ平面に沿った長さ２ｂは以下の式を満足する請求項１又は請求項２に記載の光学装置。
２ｂ≦｛Δγ／（Δρ・ｇ）｝1/2
ここで、
Δγ：第１の液体と第２の液体との間の界面張力
Δρ：第１の液体と第２の液体との間の密度差
ｇ   :重力加速度
である。
【請求項４】
第１の液体と第２の液体との界面は、隔壁の側面上に位置する請求項１乃至請求項３のいずれか１項に記載の光学装置。
【請求項５】
絶縁膜を介して絶縁性の第１の液体と接する第１電極、及び、導電性の第２の液体と接する第２電極が、各円柱レンズ室に配設されている請求項１乃至請求項３のいずれか１項に記載の光学装置。
【請求項６】
第１電極は隔壁の側面上に配設され、第２電極は第２支持体上に配設されている請求項５に記載の光学装置。
【請求項７】
第１電極は隔壁の側面上から第１支持体上に延在している請求項６に記載の光学装置。
【請求項８】
第１電極は隔壁の側面上に配設され、第２電極は第１支持体上に配設されている請求項５に記載の光学装置。
【請求項９】
第１電極は隔壁の側面上から第２支持体上に延在している請求項８に記載の光学装置。
【請求項１０】
絶縁膜の表面には撥水処理が施されている請求項５に記載の光学装置。
【請求項１１】
液体レンズから成る円柱レンズが複数、配列された光学装置、及び、発光手段を具備した照明装置であって、
光学装置は、
（ａ）発光手段からの入射光に対して透明な第１支持体、
（ｂ）発光手段からの入射光に対して透明であり、第１支持体に対面した第２支持体、及び、
（ｃ）第１支持体と第２支持体との間に配設された複数の隔壁、
を有するハウジングを備えており、
第１支持体、第２支持体、及び、隔壁によって円柱レンズ室が構成され、
各円柱レンズ室は、液体レンズを構成する第１の液体及び第２の液体の積層構造によって占められており、
円柱レンズ室の中心を通る第１支持体の法線をＺ軸とし、円柱レンズ室の軸線をＸ軸としたとき、各円柱レンズ室のＸＹ平面における平面形状は、四隅が丸みを帯びた長方形であり、
円柱レンズが最大の光学パワーを発揮しているときの、ＹＺ平面における隔壁の側面上での第１の液体と第２の液体との界面が隔壁の側面と成す角度を（１８０−θ）度とし、隔壁の側面における界面の高さをｈとし、円柱レンズ室のＹＺ平面に沿った長さを２ｂとしたとき、
（ｂ2＋ｈ2）1/2＝ｂ／ｃｏｓ（θ）
の関係を満足する照明装置。
【発明の詳細な説明】
【技術分野】
【０００１】
本発明は、エレクトロウェッティング現象を利用した光学装置、及び、係る光学装置を組み込んだ照明装置に関する。
【背景技術】
【０００２】
近年、エレクトロウェッティング現象（電気毛管現象）を利用した光学装置の開発が進められている。エレクトロウェッティング現象は、導電性を有する液体と電極との間に電圧を印加したときに電極表面と液体との固液界面におけるエネルギーが変化し、液体表面の形状が変化する現象を云う。
【０００３】
図２１の（Ａ）及び（Ｂ）に、エレクトロウェッティング現象を説明するための原理図を示す。図２１の（Ａ）に模式的に示すように、例えば、電極１０１の表面に絶縁膜１０２が形成されており、この絶縁膜１０２の上に電解液から成る導電性の液滴１０３が置かれているとする。絶縁膜１０２の表面には撥水処理が施されており、図２１の（Ａ）に示すように、電圧を印加していない状態では、絶縁膜１０２の表面と液滴１０３との間の相互作用エネルギーは低く、接触角θ0は大きい。ここで、接触角θ0は、絶縁膜１０２の表面と液滴１０３の正接線との成す角度であり、液滴１０３の表面張力や絶縁膜１０２の表面エネルギー等の物性に依存する。
【０００４】
一方、図２１の（Ｂ）に模式的に示すように、電極１０１と液滴１０３との間に電圧を印加すると、液滴側の電解質イオンが絶縁膜１０２の表面に集中することによって電荷二重層の帯電量変化が生じ、液滴１０３の表面張力の変化が誘発される。この現象がエレクトロウェッティング現象であり、印加電圧の大きさによって液滴１０３の接触角θvが変化する。即ち、図２１の（Ｂ）において、接触角θvは、印加電圧Ｖの関数として、以下の式（Ａ）の Lippman-Young の式で表される。
【０００５】
ｃｏｓ（θv）＝ｃｏｓ（θ0）＋（１／２）（ε0・ε）／（γLG・ｔ）×Ｖ2    （Ａ）
【０００６】
ここで、
ε0 ：真空の誘電率
ε  ：絶縁膜の比誘電率
γLG：電解液の表面張力
ｔ  ：絶縁膜の膜厚
である。
【０００７】
以上のように、電極１０１と液滴１０３との間に印加する電圧Ｖの大きさによって、液滴１０３の表面形状（曲率）が変化する。従って、液滴１０３をレンズ素子として用いた場合、焦点位置（焦点距離）を電気的に制御できる光学素子を実現することができる。
【０００８】
このような光学素子を用いた光学装置の開発が進められている。例えば、特開２０００−３５６７０８には、ストロボ装置用のレンズアレイが提案されている。このレンズアレイにあっては、基板表面の撥水膜上にアレイ状に配置された絶縁性液体の液滴と導電性液体を封入することで、可変焦点レンズが構成されている。そして、この構成にあっては、絶縁性液体と導電性液体との間の界面形状で個々のレンズが形成され、エレクトロウェッティング現象を利用して個々のレンズ形状を電気的に制御し、焦点距離を変化させている。また、特開２００２−１６２５０７には、液体レンズから成る円柱レンズが開示されている。
【０００９】
【特許文献１】特開２０００−３５６７０８
【特許文献２】特開２００２−１６２５０７
【発明の開示】
【発明が解決しようとする課題】
【００１０】
しかしながら、上述した従来の円柱レンズにおいては、円柱レンズが隔壁で囲まれているため、隔壁の四隅（コーナー部）近傍に位置する導電性液体及び絶縁性液体の部分によって形成される円柱レンズの部分の収差が大きいといった問題を有する。
【００１１】
従って、本発明の目的は、エレクトロウェッティング現象を利用した液体レンズから構成され、収差を少なくすることが可能であり、高い光学パワーを得ることができる構成、構造を有する光学装置、及び、係る光学装置を組み込んだ照明装置を提供することにある。
【課題を解決するための手段】
【００１２】
上記の目的を達成するための本発明の光学装置は、液体レンズから成る円柱レンズが複数、配列された光学装置であって、
（ａ）入射光に対して透明な第１支持体、
（ｂ）入射光に対して透明であり、第１支持体に対面した第２支持体、及び、
（ｃ）第１支持体と第２支持体との間に配設された複数の隔壁、
を有するハウジングを備えており、
第１支持体、第２支持体、及び、隔壁によって円柱レンズ室が構成され、
各円柱レンズ室は、液体レンズを構成する第１の液体及び第２の液体の積層構造によって占められており、
各円柱レンズ室の平面形状は、四隅が丸みを帯びた長方形であることを特徴とする。
【００１３】
上記の目的を達成するための本発明の照明装置は、液体レンズから成る円柱レンズが複数、配列された光学装置、及び、発光手段を具備した照明装置であって、
光学装置は、
（ａ）発光手段からの入射光に対して透明な第１支持体、
（ｂ）発光手段からの入射光に対して透明であり、第１支持体に対面した第２支持体、及び、
（ｃ）第１支持体と第２支持体との間に配設された複数の隔壁、
を有するハウジングを備えており、
第１支持体、第２支持体、及び、隔壁によって円柱レンズ室が構成され、
各円柱レンズ室は、液体レンズを構成する第１の液体及び第２の液体の積層構造によって占められており、
各円柱レンズ室の平面形状は、四隅が丸みを帯びた長方形であることを特徴とする。
【００１４】
本発明の光学装置、あるいは、本発明の照明装置における光学装置（以下、これらを総称して、単に、本発明の光学装置等と呼ぶ）にあっては、第１の液体と第２の液体との界面は、隔壁の側面上に位置する構成とすることが好ましい。
【００１５】
上記の好ましい構成を含む本発明の光学装置等にあっては、絶縁膜を介して絶縁性の第１の液体と接する第１電極、及び、導電性の第２の液体と接する第２電極が、各円柱レンズ室に配設されている形態とすることができる。
【００１６】
そして、このような好ましい形態にあっては、第１電極は隔壁の側面上に配設され、第２電極は第２支持体上に配設されている形態とすることができる。ここで、係る形態を、便宜上、第１の形態に係る光学装置等と呼ぶ。第１の形態に係る光学装置等にあっては、第１電極は隔壁の側面上から第１支持体上に延在している構成とすることができる。あるいは又、このような好ましい形態にあっては、第１電極は隔壁の側面上に配設され、第２電極は第１支持体上に配設されている形態とすることができる。ここで、係る形態を、便宜上、第２の形態に係る光学装置等と呼ぶ。第２の形態に係る光学装置等にあっては、第１電極は隔壁の側面上から第２支持体上に延在している形態とすることができる。
【００１７】
以上に説明した各種の好ましい構成、形態を含む本発明の光学装置等において、絶縁膜の表面には撥水処理が施されていることが好ましい。撥水処理として、例えば、ポリパラキシリレンをＣＶＤ法で成膜する方法、フッ素系のポリマーであるＰＶＤＦ（ポリビニリデンフルオライド）、ＰＴＦＥ（ポリテトラフルオロエチレン）等の材料をコーティングする方法を挙げることができる。また、高誘電率材料と撥水性材料とを複数組み合わせた積層構造で絶縁膜の表面を被覆してもよい。
【００１８】
本発明の光学装置、あるいは、本発明の照明装置における光学装置（以下、これらを総称して、単に、本発明と呼ぶ）にあっては、第１の液体と第２の液体とは、不溶、不混合であることが望ましい。
【００１９】
そして、本発明において、導電性の第２の液体（以下、導電性液体と呼ぶ場合がある）として、例えば、水、電解液（塩化カリウムや塩化ナトリウム、塩化リチウム、硫酸ナトリウム等の電解質の水溶液）、これらの電解質を溶かし込んだ例えばトリエチレングリコール水溶液、分子量の小さなメチルアルコール、エチルアルコール等のアルコール類、常温溶融塩（イオン性液体）等の有極性液体、これらの液体の混合物を挙げることができる。尚、メチルアルコール、エチルアルコール等のアルコール類は、水溶液として導電性を持たせたり、塩を溶かして導電性を持たせて使用すればよい。また、絶縁性の第１の液体（以下、絶縁性液体と呼ぶ場合がある）として、例えば、デカン、ドデカン、ヘキサデカン、ウンデカン等の炭化水素系の材料、シリコーンオイル、フッ素系の材料等の無極性溶媒を挙げることができる。尚、導電性液体と絶縁性液体とは、互いに異なる屈折率を有すると共に、互いに混和することなく存在できることが要求される。また、導電性液体の密度と絶縁性液体の密度を、出来る限り同じ値とすることが望ましい。導電性液体及び絶縁性液体は、入射光に対して透明な液体であることが望ましいが、場合によっては、着色されていてもよい。
【００２０】
第１支持体及び第２支持体を構成する材料は、入射光に対して透明であることが要求される。また、隔壁を構成する材料は、入射光に対して透明であることが望ましい。ここで、「入射光に対して透明である」とは、入射光の光透過率が８０％以上であることを意味する。第１支持体や第２支持体、隔壁を構成する材料として、具体的には、アクリル系樹脂、ポリカーボネート樹脂（ＰＣ）、ＡＢＳ樹脂、ポリメタクリル酸メチル（ＰＭＭＡ）、ポリアリレート樹脂（ＰＡＲ）、ポリエチレンテレフタレート樹脂（ＰＥＴ）、ガラスを例示することができる。各部材を構成する材料は同じであってもよいし、異なっていてもよい。
【００２１】
電極は、使用される部位、要求される特性に応じて、ＩＴＯ系材料、銀添加ＩＴＯ、ＩＺＯ系材料、ＳｎＯ2系材料、Ｉｎ2Ｏ3系材料、Ｓｂ2Ｏ5系材料、ＺｎＯ系材料、Ｉｎ2Ｏ3−ＺｎＯ系材料、Ｇａ添加ＺｎＯ、Ｉｎ4Ｓｎ3Ｏ12、ＩｎＧａＺｎＯ等の導電性金属酸化物や、金属、合金、半導体材料等から構成された透明電極とすることもできるし、不透明な金属や合金から構成された電極とすることもできる。具体的には、アルミニウム（Ａｌ）、タングステン（Ｗ）、ニオブ（Ｎｂ）、タンタル（Ｔａ）、モリブデン（Ｍｏ）、クロム（Ｃｒ）、銅（Ｃｕ）、金（Ａｕ）、銀（Ａｇ）、チタン（Ｔｉ）、ニッケル（Ｎｉ）、コバルト（Ｃｏ）、ジルコニウム（Ｚｒ）、鉄（Ｆｅ）、白金（Ｐｔ）、亜鉛（Ｚｎ）等の金属；これらの金属元素を含む合金（例えばＭｏＷ）あるいは化合物（例えばＴｉＮ等の窒化物や、ＷＳｉ2、ＭｏＳｉ2、ＴｉＳｉ2、ＴａＳｉ2等のシリサイド）；シリコン（Ｓｉ）等の半導体；ダイヤモンド等の炭素薄膜を例示することができる。これらの電極の形成方法として、例えば、電子ビーム蒸着法や熱フィラメント蒸着法といった蒸着法、スパッタリング法、ＣＶＤ法やイオンプレーティング法とエッチング法との組合せ；スクリーン印刷法；メッキ法（電気メッキ法や無電解メッキ法）；リフトオフ法；レーザアブレーション法；ゾル・ゲル法等を挙げることができる。
【００２２】
絶縁膜は、電気絶縁性の物質であれば特に制限されず、好適には、比誘電率が比較的高い物質が選択される。また、比較的大きな静電容量を得るために絶縁膜の膜厚は薄い方が好ましいが、絶縁強度を確保できる膜厚以上であることが必要である。絶縁膜を構成する材料として、例えば、ＳｉＯX系材料やＳｉＮ、ＳｉＯＮ、酸化フッ化シリコン、ポリイミド樹脂、ＳＯＧ（スピンオングラス）、低融点ガラス、ガラスペーストといったＳｉＯ2系材料、酸化チタン（ＴｉＯ2）、酸化タンタル（Ｔａ2Ｏ5）、酸化アルミニウム（Ａｌ2Ｏ3）、酸化マグネシウム（ＭｇＯ）、酸化クロム（ＣｒＯx）、酸化ジルコニウム（ＺｒＯ2）、酸化ニオブ（Ｎｂ2Ｏ5）、酸化スズ（ＳｎＯ2）、又は、酸化バナジウム（ＶＯx）を挙げることができる。絶縁膜の形成方法として、ＣＶＤ法、塗布法、スパッタリング法、スクリーン印刷法、メッキ法、電着法、浸漬法等の公知のプロセスを挙げることができる。
【００２３】
本発明の光学装置等において、各円柱レンズ室の平面形状は、四隅が丸みを帯びた長方形であるが、「丸み」の形状として、外側に向かって凸の円弧、楕円の一部、双曲線の一部、放物線の一部を例示することができるし、外側に向かって凸の任意の滑らかな曲線の一部とすることもできる。
【００２４】
ここで、円柱レンズ室の中心を通る第１支持体の法線をＺ軸とし、円柱レンズ室の中心を通る円柱レンズ室の軸線をＸ軸とする。ここで、第１電極及び第２電極に電圧を印加し、円柱レンズが最大の光学パワーを発揮しているとき、ＸＺ平面（あるいは、ＸＺ平面と平行な平面）における円柱レンズの光学パワーは実質的に０であり、ＹＺ平面における円柱レンズの光学パワーは有限の値である。第１電極及び第２電極に電圧を印加し、円柱レンズが最大の光学パワーを発揮しているときの、ＹＺ平面における隔壁の側面上での第１の液体と第２の液体との界面が隔壁の側面と成す角度（接触角）を（１８０−θ）度とし、隔壁の側面における界面の高さをｈとする。尚、円柱レンズが最大の光学パワーを発揮しており、且つ、第１支持体に対面した第２支持体の面（第２支持体の対向面）に向かって凸の状態にある場合には、界面の高さｈを、第２支持体に対面した第１支持体の面（第１支持体の対向面）から計った高さとする。一方、円柱レンズが最大の光学パワーを発揮しており、且つ、第１支持体の対向面に向かって凸の状態にある場合には、界面の高さｈを、第２支持体の対向面から計った高さとする。更には、円柱レンズ室のＸＺ平面に沿った長さを２ａ、ＹＺ平面に沿った長さを２ｂとする。
【００２５】
ここで、「ｒ」を以下の式（１）にて定義すると、高さｈ、長さｂ及びｒの関係は、式（２）で表すことができる。
【００２６】
ｒ ＝ｂ／ｃｏｓ（θ）    （１）
ｒ2＝ｂ2＋ｈ2            （２）
【００２７】
そして、「丸み」の形状を円弧とする場合、円柱レンズ室の四隅において、接触角は０度を保持できればよいので、円柱レンズ室の四隅における「丸み」の円弧の半径ｒ0の最大値は（ｂ2＋ｈ2）であり、最小値はｂである。従って、ｒ0は、
ｂ≦ｒ0≦（ｂ2＋ｈ2）1/2
といった範囲内の値とすればよい。
【００２８】
円柱レンズのＹＺ平面に沿った長さ２ｂは、毛管長κ-1以下に設定することが望ましい。ここで、毛管長κ-1とは、界面張力に対して重力の影響を無視できる最大の長さを云い、具体的には、導電性液体と絶縁性液体との間の界面張力をΔγ、導電性液体と絶縁性液体との間の密度差をΔρ、重力加速度をｇとしたとき、以下の式（Ｂ）で表すことができる。
【００２９】
κ-1＝｛Δγ／（Δρ・ｇ）｝1/2    （Ｂ）
【００３０】
毛管長κ-1は、界面を構成する２つの媒体の種類によって異なる。２つの媒体が水と空気、水と油の場合のそれぞれの界面張力、密度差、毛管長を以下の表１に示す。
【００３１】
［表１］
界面張力（Δγ）      密度差（Δρ）          毛管長（κ-1）
水と空気    ７２．８８(mN/m)    ０．９９９９７(g/cm3)       ２．７(mm)
水と油      ２９．５  (mN/m)    ０．０１２９  (g/cm3)     １５．２(mm)
【００３２】
水と空気の場合の毛管長（κ-1）は２．７ｍｍであるのに対して、水と油の場合の毛管長（κ-1）は１５．２ｍｍである。従って、導電性液体と絶縁性液体との間の密度差（Δρ）を０．０１２９まで小さくすることで、長さ２ｂを最大１５．２ｍｍとすることが可能である。
【００３３】
本発明の照明装置における発光手段として、キセノン管、蛍光灯、ランプや、発光ダイオード、半導体レーザ等の半導体発光素子を例示することができる。また、本発明の照明装置の具体的な応用例として、ストロボ装置、例えば、液晶表示装置に用いられるバックライトユニットを例示することができる。
【発明の効果】
【００３４】
本発明にあっては、液体レンズから成る円柱レンズが複数、配列された光学装置であるが故に、容易にレンズの占有面積を増やすことができるし、大きな光学パワーを得ることができる。また、各円柱レンズ室の平面形状は、四隅が丸みを帯びた長方形であるが故に、円柱レンズの四隅における収差を少なくすることが可能となる。更には、複数の円柱レンズをアレイ状に並べることで、薄型の光学装置を実現することができる。しかも、本発明にあっては、エレクトロウェッティング現象を利用して光の配光状態を変化させることができるので、モータ等の駆動部が不要であり、光学装置の部品点数の削減、小型化、薄型化、低コストを実現することができるし、機械的な力の加わる部品がないため、長寿命、高信頼性、音が全く発生しないといった利点を有するし、電圧制御であり、電流は殆ど流れないため、低消費電力を実現できる。
【発明を実施するための最良の形態】
【００３５】
以下、図面を参照して、実施例に基づき本発明を説明する。
【実施例１】
【００３６】
実施例１は、本発明の光学装置に関し、より具体的には、第１の形態に係る光学装置に関する。実施例１の光学装置をＸＺ平面で切断したときの模式的な断面図を図１の（Ａ）に示し、ＹＺ平面で切断したときの模式的な断面図を図１の（Ｂ）に示す。また、円柱レンズ室の配列状態を模式的に図２に示す。尚、図面においては、図面の簡素化のために３つの円柱レンズを図示したが、円柱レンズの数はこれに限定するものではない。
【００３７】
実施例１の光学装置は、液体レンズから成る円柱レンズ２０が複数、配列された光学装置であって、
（ａ）（発光手段からの）入射光に対して透明な第１支持体１１、
（ｂ）（発光手段からの）入射光に対して透明であり、第１支持体１１に対面した第２支持体１２、及び、
（ｃ）第１支持体１１と第２支持体１２との間に配設された複数の隔壁１３、
を有するハウジング１０を備えている。
【００３８】
そして、第１支持体１１、第２支持体１２、及び、隔壁１３によって円柱レンズ室１０Ａが構成され、各円柱レンズ室１０Ａは、液体レンズを構成する第１の液体３１及び第２の液体３２の積層構造によって占められており、各円柱レンズ室１０Ａの平面形状は、四隅（コーナー部）が丸みを帯びた長方形である。ここで、円柱レンズ２０は、シリンドリカルレンズ、シリンダーレンズとも呼ばれ、１つの面が円柱の円周面（円柱側面）の一部の形状を有するレンズである。
【００３９】
以上に説明した光学装置の構成は、後述する実施例２〜実施例８においても、同様である。
【００４０】
そして、実施例１の光学装置にあっては、絶縁膜４２を介して絶縁性の第１の液体３１と接する第１電極４１、及び、導電性の第２の液体３２と接する第２電極４４が、各円柱レンズ室１０Ａに配設されている。第１の液体３１と第２の液体３２とは、不溶、不混合であり、界面において分離されており、この界面がレンズ面を構成する。第１の液体３１と第２の液体３２との界面は、隔壁１３の側面上に位置する。以上の構成は、後述する実施例２〜実施例８においても同様である。
【００４１】
更には、実施例１の光学装置にあっては、第１電極４１は隔壁１３の側面上に配設され、第２電極４４は第２支持体１２上に配設されている。尚、第１電極４１は隔壁１３の側面上から第１支持体１１の対向面上に延在している。以上の構成は、後述する実施例２〜実施例４においても同様である。そして、絶縁膜４２の表面には撥水処理が施されている。具体的には、絶縁膜４２の表面には撥水処理層４３が形成されている。このような構成は、後述する実施例２〜実施例８においても同様である。尚、絶縁膜４２の全ての領域の上に撥水処理層が形成されていてもよい。後述する実施例２〜実施例８においても同様である。
【００４２】
実施例１の光学装置にあっては、具体的には、第１支持体１１、第２支持体１２及び隔壁１３は、ガラス、あるいは、アクリル系樹脂等の樹脂から作製されている。また、第１の液体３１はシリコーンオイル（モメンティブ・パフォーマンス・マテリアルズ・ジャパン合同会社（旧ＧＥ東芝シリコーン株式会社）製ＴＳＦ４３７）から成り、密度は１．０２グラム／ｃｍ3であり、屈折率は１．４９である。一方、第２の液体３２は塩化リチウム水溶液から成り、密度は１．０６グラム／ｃｍ3であり、屈折率は１．３４である。撥水処理層４３はポリパラキシリレンやフッ素系のポリマーから成り、絶縁膜４２はポリパラキシレンや酸化タンタル、酸化チタン等の金属酸化物から成る。また、第１電極４１及び第２電極４４は、ＩＴＯから成る透明電極から構成されている。尚、電極に透明性を要求されない場合、電極は、金、アルミニウム、銅、銀等の金属電極から構成することができる。ハウジング１０の平面形状は正方形である。以上に説明した事項は、後述する実施例２〜実施例８においても、特に断りの無い限り、同様とすることができる。
【００４３】
実施例１にあっては、円柱レンズ２０のＸＺ平面に沿った長さ２ａ及びＹＺ平面に沿った長さ２ｂを
２ａ＝４ｍｍ
２ｂ＝１ｍｍ
とした。また、円柱レンズ２０の個数を
６×６＝３６個
とした。ここで、「丸み」の形状は円弧であり、「丸み」の円弧の半径ｒ0は、ｒ0＝ｂを満足している。
【００４４】
図２０の（Ａ）及び（Ｂ）に示すように、円柱レンズ室１０Ａの中心を通る第１支持体の法線をＺ軸とし、円柱レンズ室１０Ａの中心を通る円柱レンズ室の軸線をＸ軸とする。第１電極４１及び第２電極４４に電圧を印加し、円柱レンズ２０が最大の光学パワーを発揮しているとき、ＸＺ平面（あるいは、ＸＺ平面と平行な平面）における円柱レンズ２０の光学パワーは実質的に０であり、ＹＺ平面における円柱レンズ２０の光学パワーは有限の値である。即ち、図２０の（Ａ）に示すように、第１電極４１及び第２電極４４に電圧を印加し、円柱レンズ２０が最大の光学パワーを発揮しているときの、ＹＺ平面における隔壁の側面上での第１の液体と第２の液体との界面が隔壁の側面と成す角度（接触角）を（１８０−θ）度とし、隔壁１３の側面における界面の高さをｈとする。ここで、「ｒ」は式（１）にて定義したとおりであり、高さｈ、長さｂ及びｒの関係は、式（２）で表すことができる。
【００４５】
Ｘ軸に沿って中心点が原点から（ａ−ｂ）まで移動したときの、中心点から距離ｒに位置する点「Ａ」の軌跡を、図２０の（Ｂ）に一点鎖線で示す。また、Ｘ軸に沿って中心点が原点から（ａ−ｂ）まで移動したときの、中心点から距離ｂに位置する点の軌跡を、図２０の（Ｂ）に実線で示すが、この軌跡は、隔壁１３の側面と一致している。場合によっては、
ｂ≦ｒ0≦（ｂ2＋ｈ2）1/2
を満足するようなｒ0の値を設定してもよい。図２０の（Ｂ）には、「丸み」の部分における係るｒ0をｒ’0の軌跡として点線で示すが、円柱レンズ２０のＹＺ平面に沿った長さは２ｂ’であり、ｂ’＜ｒ’0である。
【００４６】
第１電極４１及び第２電極４４は、図示しない接続部を介して、外部の制御回路に接続され、所望の電圧が印加される構成、構造となっている。そして、第１電極４１と第２電極４４との間に電圧を印加すると、第１の液体３１と第２の液体３２との界面によって構成されたレンズ面が、図１の（Ａ）及び（Ｂ）に示した下に凸の状態から、上に凸の状態に向かって変化する。レンズ面の変化状態は電極に印加する電圧によって変化する（式（１）参照）。こうして、実施例１の光学装置にあっては、円柱レンズ２０における光学パワーが、独立して可変であり、円柱レンズ２０の焦点距離を可変とすることができる。実施例２〜実施例４においても同様である。
【実施例２】
【００４７】
実施例２は、実施例１の変形である。実施例２の光学装置をＸＺ平面で切断したときの模式的な断面図を図３の（Ａ）に示し、ＹＺ平面で切断したときの模式的な断面図を図３の（Ｂ）に示す。
【００４８】
実施例１の光学装置にあっては、円柱レンズ室１０Ａと円柱レンズ室１０Ａとを区画する隔壁１３は、第１支持体１１から第２支持体１２まで延びている。
【００４９】
一方、実施例２の光学装置にあっては、円柱レンズ室１０Ａと円柱レンズ室１０Ａとを区画する隔壁１３は、第２支持体１２から第１支持体１１に向かって延びているが、隔壁１３の頂面と第１支持体１１との間には隙間が存在する。この点を除き、実施例２の光学装置の構成、構造は、実施例１の光学装置の構成、構造と同様とすることができるので、詳細な説明は省略する。
【実施例３】
【００５０】
実施例３も、実施例１の変形である。実施例３の光学装置をＸＺ平面で切断したときの模式的な断面図を図４の（Ａ）に示し、ＹＺ平面で切断したときの模式的な断面図を図４の（Ｂ）に示す。
【００５１】
実施例３の光学装置にあっては、円柱レンズ室１０Ａと円柱レンズ室１０Ａとを区画する隔壁１３は第１支持体１１から第２支持体１２に向かって延びており、隔壁１３の頂面と第２支持体１２との間には隙間が存在する。この点を除き、実施例３の光学装置の構成、構造は、実施例１の光学装置の構成、構造と同様とすることができるので、詳細な説明は省略する。
【実施例４】
【００５２】
実施例４も、実施例１の変形である。実施例４の光学装置をＸＺ平面で切断したときの模式的な断面図を図５の（Ａ）に示し、ＹＺ平面で切断したときの模式的な断面図を図５の（Ｂ）に示す。
【００５３】
実施例４の光学装置にあっては、円柱レンズ室１０Ａと円柱レンズ室１０Ａとを区画する隔壁１３の底面と第１支持体１１との間には隙間が存在し、隔壁１３の頂面と第２支持体１２との間には隙間が存在する。この点を除き、実施例４の光学装置の構成、構造は、実施例１の光学装置の構成、構造と同様とすることができるので、詳細な説明は省略する。
【実施例５】
【００５４】
実施例５も、実施例１の変形であるが、第２の形態に係る光学装置に関する。実施例５の光学装置が実施例１の光学装置と相違する点は、第１の液体３１と第２の液体３２の配置、並びに、第１電極４１及び第２電極４４の配置が、天地を逆にした点にある。実施例５の光学装置をＸＺ平面で切断したときの模式的な断面図を図６の（Ａ）に示し、ＹＺ平面で切断したときの模式的な断面図を図６の（Ｂ）に示す。第１電極４１は、隔壁１３の側面上から第２支持体１２上に延在して配設されており、第２電極４４は第１支持体１１上に配設されている。尚、図６の（Ａ）及び（Ｂ）に示した例では、第２電極４４は、隔壁１３の一部の側面まで延びているが、第２電極４４を、第１支持体１１の対向面にのみ設けてもよい。以上の点を除き、実施例５の光学装置の構成、構造は、実施例１の光学装置の構成、構造と同様とすることができるので、詳細な説明は省略する。
【００５５】
実施例５にあっても、第１電極４１及び第２電極４４は、図示しない接続部を介して、外部の制御回路に接続され、所望の電圧が印加される構成、構造となっている。そして、第１電極４１と第２電極４４との間に電圧を印加すると、第１の液体３１と第２の液体３２との界面によって構成されたレンズ面が、図６の（Ａ）及び（Ｂ）に示した上に凸の状態から、下に凸の状態に向かって変化する。レンズ面の変化状態は電極に印加する電圧によって変化する（式（１）参照）。こうして、実施例５の光学装置にあっては、円柱レンズ２０における光学パワーが、独立して可変であり、円柱レンズ２０の焦点距離を可変とすることができる。実施例６〜実施例８においても同様である。
【実施例６】
【００５６】
実施例６は、実施例２の変形であるが、第２の形態に係る光学装置に関する。実施例６の光学装置が実施例２の光学装置と相違する点は、第１の液体３１と第２の液体３２の配置、並びに、第１電極４１及び第２電極４４の配置が、天地を逆にした点にある。実施例６の光学装置をＸＺ平面で切断したときの模式的な断面図を図７の（Ａ）に示し、ＹＺ平面で切断したときの模式的な断面図を図７の（Ｂ）に示す。第１電極４１は、隔壁１３の側面上から第２支持体１２上に延在して配設されており、第２電極４４は第１支持体１１上に配設されている。尚、図７の（Ａ）及び（Ｂ）に示した例では、第２電極４４は、隔壁１３の一部の側面まで延びているが、第２電極４４を、第１支持体１１の対向面にのみ設けてもよい。
【００５７】
あるいは又、ＸＺ平面で切断したときの模式的な断面図を図８の（Ａ）に示し、ＹＺ平面で切断したときの模式的な断面図を図８の（Ｂ）に示す実施例６の光学装置の変形例にあっては、第２電極４４は、隔壁１３の一部の側面にのみ形成されている。このような構成を採用することで、光路に配置された電極を減らすことができ、光透過率の向上を図ることができる。
【００５８】
以上の点を除き、実施例６の光学装置の構成、構造は、実施例２の光学装置の構成、構造と同様とすることができるので、詳細な説明は省略する。
【実施例７】
【００５９】
実施例７は、実施例３の変形であるが、第２の形態に係る光学装置に関する。実施例７の光学装置が実施例３の光学装置と相違する点は、第１の液体３１と第２の液体３２の配置、並びに、第１電極４１及び第２電極４４の配置が、天地を逆にした点にある。実施例７の光学装置をＸＺ平面で切断したときの模式的な断面図を図９の（Ａ）に示し、ＹＺ平面で切断したときの模式的な断面図を図９の（Ｂ）に示す。第１電極４１は、隔壁１３の側面上から第２支持体１２上に延在して配設されており、第２電極４４は第１支持体１１上に配設されている。尚、ＸＺ平面で切断したときの模式的な断面図を図１０の（Ａ）に示し、ＹＺ平面で切断したときの模式的な断面図を図１０の（Ｂ）に示すように、第２電極４４が隔壁１３の一部の側面まで延びている構成とすることもできる。
【００６０】
あるいは又、ＸＺ平面で切断したときの模式的な断面図を図１１の（Ａ）に示し、ＹＺ平面で切断したときの模式的な断面図を図１１の（Ｂ）に示す実施例７の光学装置の変形例にあっては、第２電極４４は、隔壁１３の一部の側面にのみ形成されている。このような構成を採用することで、光路に配置された電極を減らすことができ、光透過率の向上を図ることができる。
【００６１】
以上の点を除き、実施例７の光学装置の構成、構造は、実施例３の光学装置の構成、構造と同様とすることができるので、詳細な説明は省略する。
【実施例８】
【００６２】
実施例８は、実施例４の変形であるが、第２の形態に係る光学装置に関する。実施例８の光学装置が実施例４の光学装置と相違する点は、第１の液体３１と第２の液体３２の配置、並びに、第１電極４１及び第２電極４４の配置が、天地を逆にした点にある。実施例８の光学装置をＸＺ平面で切断したときの模式的な断面図を図１２の（Ａ）に示し、ＹＺ平面で切断したときの模式的な断面図を図１２の（Ｂ）に示す。第１電極４１は、隔壁１３の側面上から第２支持体１２上に延在して配設されており、第２電極４４は第１支持体１１上に配設されている。尚、ＸＺ平面で切断したときの模式的な断面図を図１３の（Ａ）に示し、ＹＺ平面で切断したときの模式的な断面図を図１３の（Ｂ）に示すように、第２電極４４が隔壁１３の一部の側面まで延びている構成とすることもできる。
【００６３】
あるいは又、ＸＺ平面で切断したときの模式的な断面図を図１４の（Ａ）に示し、ＹＺ平面で切断したときの模式的な断面図を図１４の（Ｂ）に示す実施例８の光学装置の変形例にあっては、第２電極４４は、隔壁１３の一部の側面にのみ形成されている。このような構成を採用することで、光路に配置された電極を減らすことができ、光透過率の向上を図ることができる。
【００６４】
以上の点を除き、実施例８の光学装置の構成、構造は、実施例４の光学装置の構成、構造と同様とすることができるので、詳細な説明は省略する。
【００６５】
例えば、実施例１において説明した光学装置（図１参照）は、以下の方法で作製することができる。
【００６６】
先ず、第１支持体１１、第２支持体１２、隔壁１３を作製する。尚、隔壁１３には、液体を注入し、また、液体を排出するための注入口及び排出口を適宜設けておく。そして、第１支持体１１及び隔壁１３を、接着剤等を用いて組み立てる。次いで、例えば、スパッタリング法に基づき、第１支持体１１及び隔壁１３に第１電極４１を形成し、例えば、スパッタリング法に基づき第１電極４１上に絶縁膜４２を形成し、更に、絶縁膜４２上に撥水処理層４３を形成する。その後、第２電極４４が形成された第２支持体１２を隔壁１３の頂面に固定する。
【００６７】
次いで、第１支持体１１、第２支持体１２及び隔壁１３によって囲まれた円柱レンズ室１０Ａを減圧しながら、隔壁１３に設けられた注入口（図示せず）から第１の液体３１を注入し、第１の液体３１の一部を排出口（図示せず）から排出することで、円柱レンズ室１０Ａを第１の液体３１で完全に充填する。次いで、隔壁１３に設けられた注入口（図示せず）から第２の液体３２を注入する。このとき、第１の液体３１及び第２の液体３２との間で界面が形成されるように、第２の液体３２を注入する。第１の液体３１及び第２の液体３２の一部は、排出口（図示せず）から排出される。最後に、注入口及び排出口を封止し、電極を外部の制御回路と接続することで、光学装置を完成させることができる。
【００６８】
尚、実施例２〜実施例８において説明した光学装置も、実質的に同様の方法で作製することができる。
【実施例９】
【００６９】
実施例９は、本発明の照明装置に関する。実施例９の照明装置は、具体的にはストロボ装置から成る。実施例９の照明装置は、具体的には、実施例１〜実施例８において説明した光学装置、並びに、キセノン管から成る発光手段を具備している。実施例９の照明装置の概念図を、図１５の（Ａ）及び（Ｂ）に示すが、実施例１〜実施例８において説明した光学装置を備え、円柱レンズにおける光学パワーが独立して可変であり、円柱レンズによって形成されたレンズの焦点距離を可変とすることができる結果、広角側から望遠側まで照射角を可変としたストロボ装置を提供することができる。尚、ストロボ装置及び発光制御回路等は、周知のストロボ装置及び発光制御回路等とすることができるので、詳細な説明は省略する。
【００７０】
以上、本発明を好ましい実施例に基づき説明したが、本発明はこれらの実施例に限定されるものではない。実施例において説明した光学装置や照明装置（ストロボ装置）の構成、構造は例示であるし、光学装置を構成する材料等も例示であり、適宜、変更することができる。光学装置の平面形状は正方形に限定されず、本質的に任意の形状（例えば、長方形や円形、楕円形、長円形等）とすることができる。第１電極、第２電極の構成、構造、配置状態も、これらの電極と直接、あるいは絶縁膜を介して接する液体の性質（導電性、絶縁性）に応じて、適宜、変更することができる。光学装置の第１支持体に光が入射し、第２支持体から光が出射してもよいし、光学装置の第２支持体に光が入射し、第１支持体から光が出射してもよい。実施例１〜実施例９においては、円柱レンズを構成する第１電極を円柱レンズ毎に分割し、分割された第１電極毎に印加する電圧を制御してもよい。
【００７１】
円柱レンズの配列の変形例を、図１６の（Ａ）、（Ｂ）、図１７の（Ａ）、（Ｂ）、図１８の（Ａ）、（Ｂ）、図１９の（Ａ）、（Ｂ）に例示する。図１６の（Ａ）に示す例にあっては、例えば、５×３＝１５の円柱レンズが２次元マトリクス状に配列されている。また、図１６の（Ｂ）に示す例にあっては、円柱レンズが２次元マトリクス状に（但し、千鳥状に）配列されている。図１７の（Ａ）及び（Ｂ）、並びに、図１８の（Ａ）及び図１９の（Ｂ）に示す例にあっては、Ｘ軸の向きが異なる円柱レンズが配列されている。また、図１８の（Ｂ）に示す例にあっては、大きさの異なる円柱レンズが配列されている。図１９の（Ａ）に示す例にあっては、円柱レンズと通常のレンズ（平面形状が円形）が混在して配列されている。
【図面の簡単な説明】
【００７２】
【図１】図１の（Ａ）及び（Ｂ）は、実施例１の光学装置をＸＺ平面で切断したときの模式的な断面図、及び、ＹＺ平面で切断したときの模式的な断面図である。
【図２】図２は、実施例１の光学装置における円柱レンズ室の配列状態を模式的に示す図である。
【図３】図３の（Ａ）及び（Ｂ）は、実施例２の光学装置をＸＺ平面で切断したときの模式的な断面図、及び、ＹＺ平面で切断したときの模式的な断面図である。
【図４】図４の（Ａ）及び（Ｂ）は、実施例３の光学装置をＸＺ平面で切断したときの模式的な断面図、及び、ＹＺ平面で切断したときの模式的な断面図である。
【図５】図５の（Ａ）及び（Ｂ）は、実施例４の光学装置をＸＺ平面で切断したときの模式的な断面図、及び、ＹＺ平面で切断したときの模式的な断面図である。
【図６】図６の（Ａ）及び（Ｂ）は、実施例５の光学装置をＸＺ平面で切断したときの模式的な断面図、及び、ＹＺ平面で切断したときの模式的な断面図である。
【図７】図７の（Ａ）及び（Ｂ）は、実施例６の光学装置をＸＺ平面で切断したときの模式的な断面図、及び、ＹＺ平面で切断したときの模式的な断面図である。
【図８】図８の（Ａ）及び（Ｂ）は、実施例６の光学装置の変形例をＸＺ平面で切断したときの模式的な断面図、及び、ＹＺ平面で切断したときの模式的な断面図である。
【図９】図９の（Ａ）及び（Ｂ）は、実施例７の光学装置をＸＺ平面で切断したときの模式的な断面図、及び、ＹＺ平面で切断したときの模式的な断面図である。
【図１０】図１０の（Ａ）及び（Ｂ）は、実施例７の光学装置の変形例をＸＺ平面で切断したときの模式的な断面図、及び、ＹＺ平面で切断したときの模式的な断面図である。
【図１１】図１１の（Ａ）及び（Ｂ）は、実施例７の光学装置の別の変形例をＸＺ平面で切断したときの模式的な断面図、及び、ＹＺ平面で切断したときの模式的な断面図である。
【図１２】図１２の（Ａ）及び（Ｂ）は、実施例８の光学装置をＸＺ平面で切断したときの模式的な断面図、及び、ＹＺ平面で切断したときの模式的な断面図である。
【図１３】図１３の（Ａ）及び（Ｂ）は、実施例８の光学装置の変形例をＸＺ平面で切断したときの模式的な断面図、及び、ＹＺ平面で切断したときの模式的な断面図である。
【図１４】図１４の（Ａ）及び（Ｂ）は、実施例８の光学装置の別の変形例をＸＺ平面で切断したときの模式的な断面図、及び、ＹＺ平面で切断したときの模式的な断面図である。
【図１５】図１５の（Ａ）及び（Ｂ）は、実施例９の照明装置の概念図である。
【図１６】図１６の（Ａ）及び（Ｂ）は、円柱レンズの配列の変形例を示す模式図である。
【図１７】図１７の（Ａ）及び（Ｂ）は、円柱レンズの配列の変形例を示す模式図である。
【図１８】図１８の（Ａ）及び（Ｂ）は、円柱レンズの配列の変形例を示す模式図である。
【図１９】図１９の（Ａ）及び（Ｂ）は、円柱レンズの配列の変形例を示す模式図である。
【図２０】図２０の（Ａ）及び（Ｂ）は、円柱レンズ室の模式的な断面図及び平面図である。
【図２１】図２１の（Ａ）及び（Ｂ）は、電気毛管現象を説明するための原理図である。
【符号の説明】
【００７３】
１０・・・ハウジング、１０Ａ・・・円柱レンズ室、１１・・・第１支持体、１２・・・第２支持体、１３・・・隔壁、２０・・・円柱レンズ、３１・・・第１の液体、３２・・・第２の液体、４１・・・第１電極、４２・・・絶縁膜、４３・・・撥水処理層、４４・・・第２電極
【図１】
0004894677.tif 000002
【図２】
0004894677.tif 000003
【図３】
0004894677.tif 000004
【図４】
0004894677.tif 000005
【図５】
0004894677.tif 000006
【図６】
0004894677.tif 000007
【図７】
0004894677.tif 000008
【図８】
0004894677.tif 000009
【図９】
0004894677.tif 000010
【図１０】
0004894677.tif 000011
【図１１】
0004894677.tif 000012
【図１２】
0004894677.tif 000013
【図１３】
0004894677.tif 000014
【図１４】
0004894677.tif 000015
【図１５】
0004894677.tif 000016
【図１６】
0004894677.tif 000017
【図１７】
0004894677.tif 000018
【図１８】
0004894677.tif 000019
【図１９】
0004894677.tif 000020
【図２０】
0004894677.tif 000021
【図２１】
0004894677.tif 000022